【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
２ＭＨｚ、４ＭＨｚ、および８ＭＨｚのうちの１つのフレーム帯域幅を選択することと、
選択された前記フレーム帯域幅が２ＭＨｚである場合に、［１  −１］の位相回転シーケンス、または［１  −１］のスケーリングされたバージョンを選択すること、
選択された前記フレーム帯域幅が４ＭＨｚである場合に  、［１  ｊ  −ｊ  −１］の位相回転シーケンス、または［１  ｊ  −ｊ  −１］のスケーリングされたバージョンを選択すること、
選択された前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択すること
を備える、前記フレーム帯域幅に少なくとも部分的に基づいて位相回転シーケンスを選択することと、
前記選択されたフレーム帯域幅のフレームを生成することと、前記フレームが複数の同等の１ＭＨｚ周波数セグメントを有し、ここにおいて複数の前記同等の１ＭＨｚ周波数セグメントのうちの少なくとも１つは前記選択された位相回転シーケンスに基づいて前記複数の同等の１ＭＨｚ周波数セグメントの少なくとも１つの他の周波数セグメントに関して回転される、
を行うように構成されたプロセッサと、
前記フレームを送信するように構成された送信機と、前記同等の複数の同等の１ＭＨｚ周波数セグメントの各々は、隣接する１ＭＨｚチャネルで送信される
を備える、ワイヤレス通信装置。
【請求項２】
前記複数の同等の１ＭＨｚ周波数セグメントのうちの前記少なくとも１つが、前記フレームの少なくとも一部分のピーク対平均電力比を低減するために回転される、請求項１に記載のワイヤレス通信装置。
【請求項３】
前記同等の複数の１ＭＨｚ周波数セグメントのうちの前記少なくとも１つが、前記フレームのデータ部分およびＬＴＦ部分のうちの少なくとも１つのピーク対平均電力比を低減するために回転される、請求項１に記載のワイヤレス通信装置。
【請求項４】
前記同等の複数の１ＭＨｚ周波数セグメントの各々がパケットのデータセグメントを備える、請求項１に記載のワイヤレス通信装置。
【請求項５】
ワイヤレス通信ネットワーク上で重複フレームを送信する方法であって、
２ＭＨｚ、４ＭＨｚ、および８ＭＨｚのうちの１つのフレーム帯域幅を選択することと、
選択された前記フレーム帯域幅が２ＭＨｚである場合に、［１  −１］の位相回転シーケンス、または［１  −１］のスケーリングされたバージョンを選択すること、
選択された前記フレーム帯域幅が４ＭＨｚである場合に、［１  ｊ  −ｊ  −１］の位相回転シーケンス、または［１  ｊ  −ｊ  −１］のスケーリングされたバージョンを選択すること、
選択された前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択すること
を備える、前記フレーム帯域幅に少なくとも部分的に基づいて位相回転シーケンスを選択することと、
前記選択されたフレーム帯域幅のフレームを生成することと、前記フレームが複数の同等の１ＭＨｚ周波数セグメントを有し、ここにおいて前記複数の同等の１ＭＨｚ周波数セグメントのうちの少なくとも１つは前記選択された位相回転シーケンスに基づいて前記複数の同等の１ＭＨｚ周波数セグメントの少なくとも１つの他の周波数セグメントに関して回転される、
前記フレームを送信することと、前記同等の複数の同等の１ＭＨｚ周波数セグメントの各々は、隣接する１ＭＨｚチャネルで送信される
を備える、方法。
【請求項６】
前記複数の同等の１ＭＨｚ周波数セグメントのうちの前記少なくとも１つが、前記フレームの少なくとも一部分のピーク対平均電力比を低減するために回転される、請求項５に記載の方法。
【請求項７】
前記複数の同等の１ＭＨｚ周波数セグメントのうちの前記少なくとも１つが、前記フレームのデータ部分および／またはＬＴＦ部分のうちの少なくとも１つのピーク対平均電力比を低減するために回転される、請求項５に記載の方法。
【請求項８】
前記複数の同等の１ＭＨｚ周波数セグメントの前記各々がパケットのデータセグメントを備える、請求項５に記載の方法。
【請求項９】
実行されたとき、ワイヤレス通信ネットワーク上で重複フレームを送信する方法をデバイス内のプロセッサに行わせる複数の命令を備える非一時的コンピュータ可読媒体であって、前記方法は、
２ＭＨｚ、４ＭＨｚ、および８ＭＨｚのうちの１つのフレーム帯域幅を選択することと、
選択された前記フレーム帯域幅が２ＭＨｚである場合に、［１  −１］の位相回転シーケンス、または［１  −１］のスケーリングされたバージョンを選択すること、
選択された前記フレーム帯域幅が４ＭＨｚである場合に、［１  ｊ  −ｊ  −１］の位相回転シーケンス、または［１  ｊ  −ｊ  −１］のスケーリングされたバージョンを選択すること、
選択された前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択すること
を備える、前記フレーム帯域幅に少なくとも部分的に基づいて位相回転シーケンスを選択することと、
前記選択されたフレーム帯域幅のフレームを生成することと、前記フレームが複数の同等の１ＭＨｚ周波数セグメントを有し、ここにおいて前記複数の同等の１ＭＨｚ周波数セグメントのうちの少なくとも１つは前記選択された位相回転シーケンスに基づいて前記複数の同等の１ＭＨｚ周波数セグメントの少なくとも１つの他の周波数セグメントに関して回転される、
前記フレームを送信することと、前記同等の複数の同等の１ＭＨｚ周波数セグメントの各々は、隣接する１ＭＨｚチャネルで送信される
を備える、非一時的コンピュータ可読媒体。
【請求項１０】
前記複数の同等の１ＭＨｚ周波数セグメントのうちの前記少なくとも１つが、前記フレームの少なくとも一部分のピーク対平均電力比を低減するために回転される、請求項９に記載の非一時的コンピュータ可読媒体。
【請求項１１】
前記複数の同等の１ＭＨｚ周波数セグメントのうちの前記少なくとも１つが、前記フレームのデータ部分および／またはＬＴＦ部分のうちの少なくとも１つのピーク対平均電力比を低減するために回転される、請求項９に記載の非一時的コンピュータ可読媒体。
【請求項１２】
前記複数の同等の１ＭＨｚ周波数セグメントの各々がパケットのデータセグメントを備える、請求項９に記載の非一時的コンピュータ可読媒体。
【手続補正２】
【補正対象書類名】明細書
【補正対象項目名】０１０９
【補正方法】変更
【補正の内容】
【０１０９】
[0116]  同様に、動作は特定の順序で図面に示されているが、これは、望ましい結果を達成するために、そのような動作が、示される特定の順序でまたは順番に行われることを、あるいは全ての図示の動作が行われることを必要とするものとして理解されるべきでない。いくつかの状況では、マルチタスキングおよび並列処理が有利であり得る。その上、上記で説明した実装形態における様々なシステム構成要素の分離は、全ての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で行われて、依然として望ましい結果を達成できる。
以下に、本願出願の当初の特許請求の範囲に記載された発明を付記する。
［Ｃ１］
２ＭＨｚ、４ＭＨｚ、および８ＭＨｚのうちの１つのフレーム帯域幅を選択することと、
前記フレーム帯域幅が２ＭＨｚである場合に、［１  −１］の位相回転シーケンス、または［１  −１］のスケーリングされたバージョンを選択すること、
前記フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、
前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択することに従って、前記フレーム帯域幅に少なくとも部分的に基づいて位相回転シーケンスを選択することと、
前記選択された帯域幅のフレームを生成することと、前記フレームが複数の同等の１ＭＨｚ周波数セグメントを有し、ここにおいて前記同等の１ＭＨｚ周波数セグメントのうちの少なくとも１つは前記選択された位相回転シーケンスに基づいて少なくとも１つの他の同等の１ＭＨｚ周波数セグメントに関して回転される、を行うように構成されたプロセッサと、
複数の同等の１ＭＨｚ周波数セグメントを有する前記フレームを送信するように構成された送信機とを備える、ワイヤレス通信装置。
［Ｃ２］
前記同等の１ＭＨｚ周波数セグメントのうちの少なくとも１つが、前記フレームまたは前記フレームの一部分のピーク対平均電力比を低減するために回転される、Ｃ１に記載のワイヤレス通信装置。
［Ｃ３］
前記同等の１ＭＨｚ周波数セグメントのうちの少なくとも１つが、前記フレームのデータ部分およびＬＴＦ部分のうちの少なくとも１つのピーク対平均電力比を低減するために回転される、Ｃ１に記載のワイヤレス通信装置。
［Ｃ４］
前記同等の１ＭＨｚ周波数セグメントの各々がパケットのデータセグメントを備える、Ｃ１に記載のワイヤレス通信装置。
［Ｃ５］
前記同等の１ＭＨｚ周波数セグメントの各々が、隣接する１ＭＨｚチャネル内で送信される、Ｃ１に記載のワイヤレス通信装置。
［Ｃ６］
ワイヤレス通信ネットワーク上で重複フレームを送信する方法であって、
２ＭＨｚ、４ＭＨｚ、および８ＭＨｚのうちの１つのフレーム帯域幅を選択することと、
前記フレーム帯域幅に少なくとも部分的に基づいて位相回転シーケンスを選択することと、ここにおいて位相回転シーケンスを選択することは、
前記フレーム帯域幅が２ＭＨｚである場合に、［１  −１］の位相回転シーケンス、または［１  −１］のスケーリングされたバージョンを選択すること、
前記フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、
前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択することを備え、
前記選択された帯域幅のフレームを生成することと、前記フレームが複数の同等の１ＭＨｚ周波数セグメントを有し、ここにおいて前記同等の１ＭＨｚ周波数セグメントのうちの少なくとも１つは前記選択された位相回転シーケンスに基づいて少なくとも１つの他の同等の１ＭＨｚ周波数セグメントに関して回転される、
複数の同等の１ＭＨｚ周波数セグメントを有する前記フレームを送信することとを備える、方法。
［Ｃ７］
前記同等の１ＭＨｚ周波数セグメントのうちの少なくとも１つが、前記フレームまたは前記フレームの一部分のピーク対平均電力比を低減するために回転される、Ｃ６に記載の方法。
［Ｃ８］
前記同等の１ＭＨｚ周波数セグメントのうちの少なくとも１つが、前記フレームのデータ部分および／またはＬＴＦ部分のうちの少なくとも１つのピーク対平均電力比を低減するために回転される、Ｃ６に記載の方法。
［Ｃ９］
前記同等の１ＭＨｚ周波数セグメントの各々がパケットのデータセグメントを備える、Ｃ６に記載の方法。
［Ｃ１０］
前記同等の１ＭＨｚ周波数セグメントの各々が、隣接する１ＭＨｚチャネル内で送信される、Ｃ６に記載の方法。
［Ｃ１１］
実行されたとき、ワイヤレス通信ネットワーク上で重複フレームを送信する方法をデバイス内のプロセッサに行わせる複数の命令を備える非一時的コンピュータ可読媒体であって、前記方法は、
２ＭＨｚ、４ＭＨｚ、および８ＭＨｚのうちの１つのフレーム帯域幅を選択することと、
前記フレーム帯域幅に少なくとも部分的に基づいて位相回転シーケンスを選択することと、ここにおいて位相回転シーケンスを選択することは、
前記フレーム帯域幅が２ＭＨｚである場合に、［１  −１］の位相回転シーケンス、または［１  −１］のスケーリングされたバージョンを選択すること、
前記フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、
前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択することを備え、
前記選択された帯域幅のフレームを生成することと、前記フレームが複数の同等の１ＭＨｚ周波数セグメントを有し、ここにおいて前記同等の１ＭＨｚ周波数セグメントのうちの少なくとも１つは前記選択された位相回転シーケンスに基づいて少なくとも１つの他の同等の１ＭＨｚ周波数セグメントに関して回転される、
複数の同等の１ＭＨｚ周波数セグメントを有する前記フレームを送信することとを備える、非一時的コンピュータ可読媒体。
［Ｃ１２］
前記同等の１ＭＨｚ周波数セグメントのうちの少なくとも１つが、前記フレームまたは前記フレームの一部分のピーク対平均電力比を低減するために回転される、Ｃ１１に記載の非一時的コンピュータ可読媒体。
［Ｃ１３］
前記同等の１ＭＨｚ周波数セグメントのうちの少なくとも１つが、前記フレームのデータ部分および／またはＬＴＦ部分のうちの少なくとも１つのピーク対平均電力比を低減するために回転される、Ｃ１１に記載の非一時的コンピュータ可読媒体。
［Ｃ１４］
前記同等の１ＭＨｚ周波数セグメントの各々がパケットのデータセグメントを備える、Ｃ１１に記載の非一時的コンピュータ可読媒体。
［Ｃ１５］
前記同等の１ＭＨｚ周波数セグメントの各々が、隣接する１ＭＨｚチャネル内で送信される、Ｃ１１に記載の非一時的コンピュータ可読媒体。